(57)【要約】      （修正有）【課題】レジ操作を行う店員と買い物客との間で、買い物代金や釣り銭等を手渡しで直接行うことを回避する釣銭受けを提供する。【解決手段】釣銭受け１００は、釣銭を載置する載置台１１０と、載置台１１０に連続し、当該載置台１１０から下方へ窪んだ凹部１２０と、レジカウンターに固定される固定部２２０と、載置台１１０と固定部２２０との間に設けられ、載置台１１０を回転させる回転部３００とを備える。【選択図】図２
0003231012.tif 000002
【実用新案登録請求の範囲】
【請求項１】
釣銭を載置する載置台と、
前記載置台に連続し、当該載置台から下方へ窪んだ凹部と、
レジカウンターに固定される固定部と、
前記載置台と前記固定部との間に設けられ、前記載置台を回転させる回転部とを備えたことを特徴とする釣銭受け。
【請求項２】
前記固定部は、上下方向に伸縮可能に構成されていることを特徴とする請求項１に記載の釣銭受け。
【考案の詳細な説明】
【技術分野】
【０００１】
本考案は、スーパーマーケット等において、会計のために使用されるレジカウンターに取り付けられる釣銭受けに関する。
【０００２】
近年、細菌やウイルス等による感染症拡大防止のため、スーパーやショッピングモール等では、レジ操作を行う店員と買い物客との間で、買い物代金や釣り銭等を手渡しで直接行うのを避けることが望まれている。
【考案の概要】
【考案が解決しようとする課題】
【０００３】
そこで、本考案は、レジ操作を行う店員と買い物客との間で、買い物代金や釣り銭等を手渡しで直接行うことを回避する釣銭受けを提供する。
【課題を解決するための手段】
【０００４】
上記課題を解決するために、本考案の釣銭受けは、釣銭を載置する載置台と、前記載置台に連続し、当該載置台から下方へ窪んだ凹部と、レジカウンターに固定される固定部と、前記載置台と前記固定部との間に設けられ、前記載置台を回転させる回転部とを備えたことを特徴とする。
【０００５】
上記特徴により、店員と買い物客との間で、買い物代金や釣り銭等の受け渡しを、載置台を介して行っているので、店員と買い物客との間での直接の手渡しを避けることができる。
【０００６】
さらに、本考案の釣銭受けは、前記固定部は、上下方向に伸縮可能に構成されていることを特徴とする。
【０００７】
上記特徴により、載置台の位置を所望の高さに調節できる。
【考案の効果】
【０００８】
上記の本考案によれば、レジ操作を行う店員と買い物客との間で、買い物代金や釣り銭等を手渡しで直接行うことを回避できる。
【図面の簡単な説明】
【０００９】
【図１】本考案の釣銭受けの平面図である。
【図２】本考案の釣銭受けの側面図である。
【図３】本考案の釣銭受けの背面図である。
【図４】本考案の釣銭受けを設置したレジカウンターの平面図である。
【符号の説明】
【００１０】
１００        釣銭受け
１１０        載置台
１２０        凹部
２００        固定部
３００        回転部
Ｍ            レジカウンター
【考案を実施するための形態】
【００１１】
以下に、本考案の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１２】
まず、図１から図３に、本考案の釣銭受け１００を示す。なお、図１は釣銭受け１００の平面図、図２は釣銭受け１００の側面図、図３は釣銭受け１００の背面図である。
【００１３】
図１から図３に示すように、釣銭受け１００は、全体が合成樹脂等の任意の素材から形成された、略四角形の載置台１１０と、当該載置台１１０の前側に、凹部１２０を備える。この載置台１１０は、紙幣や硬貨等の代金や釣銭を載置できるように、平坦面となっており、その表面には硬貨等を移動させやすいように、直線状の複数の溝１１１が形成されている。
【００１４】
また、凹部１２０は、載置台１１０に連続しており、載置台１１０から下方へ窪んだ形状をしている。この凹部１２０は略半球状に窪んでおり、凹部１２０内の硬貨等を、凹部１２０の略半球状面に沿って、指ですくうように取り出しやすくなっている。また、載置台１１０と凹部１２０とが連続した部分は傾斜面１２１となっているので、載置台１１０上に載置された紙幣や硬貨等の釣銭を、載置台１１０から凹部１２０へ移動させやすい。
【００１５】
また、載置台１１０の左右の両側のそれぞれに側壁（１４０、１５０）を、載置台１１０の背面側に後壁１６０を備えている。側壁（１４０、１５０）及び後壁１６０は、載置台１１０の端部から上方へ突出しているので、載置台１１０に載置された紙幣や硬貨等の釣銭が、載置台１１０から外側へ落下することを防止できる。また、側壁１４０の端部１４１と側壁１５０の端部１５１のそれぞれは、凹部１２０から上方へ突出すると共に、凹部１２０へ滑らかに連続している。そのため、また、釣銭が載置台１１０から凹部１２０へ移動する際に、釣銭が外側へ落下することを防止できる。
【００１６】
また、釣銭受け１００の載置台１１０の下側には、固定部２００が設けられている。この固定部２００は、後述するレジカウンターに固定されるもので、下端側に取付部２１０と、取付部２１０から上下方向に延出する支柱２２０と、支柱２２０の上端に設けられた取付台２３０とを備えている。取付部２１０は、略コ字状をしており、レジカウンターの板状に突出した部分などに嵌めこんで、締結部２１１を締め付けることで、固定部２００がレジカウンターから外れないように強固に固定できる。
【００１７】
また、支柱２２０は、中空状で長尺状の部材であり、内部に長尺状のスライド部材２２１が設けられている。このスライド部材２２１は、支柱２２０の内部で上下方向にスライドできるので、スライド部材２２１の上端に固定された取付台２３０も上下方向に移動できる。そして、固定部２００はスライド部材２２１によって上下方向に伸縮できるので、取付台２３０に固定された載置台１１０の位置を所望の高さに調節できる。さらに、摘まみ２２２を締め付ければ、スライド部材２２１が上下に移動しないように固定でき、取付台２３０に固定された載置台１１０の位置を所望の高さで固定できるのである。
【００１８】
また、載置台１１０と固定部２００との間には、回転部３００が設けられている。この板状の回転部３００は、上端側が載置台１１０の裏面に固定されており、下端側が回転軸２３１によって、固定部２００の取付台２３０に連結固定されている。そのため、回転部３００は、回転軸２３１を中心に取付台２３０に対して回転することができる。すると、回転部３００に固定された載置台１１０も、回転軸２３１を中心に取付台２３０に対して回転するのである。
【００１９】
次に、図４に、釣銭受け１００の設置態様を示す。なお、図４は、釣銭受け１００を設置したレジカウンターＭの平面図である。
【００２０】
図４に示すように、スーパーマーケット等の店内に設置された既存のレジカウンターＭの操作部Ｎ付近に釣銭受け釣銭受け１００を設置している。この操作部Ｎには、会計装置が内蔵されており、買い物客Ｙが支払った代金を保管すると共に、支払われた代金に対する釣銭を自動的に計算する。また、レジカウンターＭは、床面に置かれた台となっており、このレジカウンターＭを挟んで、店員Ｘと買い物客Ｙは対面している。また、釣銭受け１００の凹部１２０は、店員Ｘ側へ面するように配置されている。
【００２１】
例えば、店員Ｘは、レジカウンターＭの上に置かれた買い物カゴ内の商品を、スキャナーＳ等で読み取って会計を行う。買い物客Ｙは、会計後に支払うべき代金を釣銭受け釣銭受け１００の載置台１１０上に載せる。その後、店員Ｘは自身の指で、載置台１１０に載せられた代金を載置台１１０から凹部１２０へ移動させて取り出し、操作部Ｎの会計装置内に保管する。次に、店員Ｘは、操作部Ｎの会計装置によって自動で計算された、支払われた代金に対する釣銭を、操作部Ｎから取り出し、釣銭受け１００の載置台１１０へ置く。そして、店員Ｘは、載置台１１０を略９０度回転させて、凹部１２０が買い物客Ｙ側へ面するように配置する（回転後の凹部を１２０´で示している）。次に、買い物客Ｙは自身の指で、載置台１１０に載せられた代金を載置台１１０から凹部１２０´へ移動させて取り出すのである。
【００２２】
このように、本考案の釣銭受け１００によれば、店員Ｘと買い物客Ｙとの間で、買い物代金や釣り銭等の受け渡しを、載置台１１０を介して行っているので、店員Ｘと買い物客Ｙとの間での直接の手渡しを避けることができる。
【００２３】
また、釣銭受け１００の載置台１１０は回転部３００によって回転できるので、釣銭受け１００の凹部１２０を買い物客Ｙ側へ面するように配置したり、釣銭受け１００の凹部１２０を店員Ｘ側へ面するように配置したりでき、店員Ｘと買い物客Ｙのそれぞれが、代金や釣り銭等を取り出しやすい。
【００２４】
また、図４に示すように、釣銭受け１００の凹部１２０が店員Ｘ側へ面するように配置されている状態と、載置台１１０が回転して、釣銭受け１００の凹部１２０´が買い物客Ｙ側へ面するように配置されている状態のそれぞれを、一時的に仮固定できる回転防止部を、釣銭受け１００は備えてもよい。なお、釣銭受け１００は図１から図３に示す形状に限定されず、載置台１１０と、少なくとも１つの凹部１２０と、固定部２００と、回転部３００とを備えていれば、任意の形状であってもよい。また、図４では、釣銭受け１００の載置台１１０は回転部３００によって略９０度回転しているが、これに限定されず、凹部１２０が店員Ｘと買い物客Ｙのそれぞれに面するように回転できるのであれば、略１８０度など任意の角度で回転できる。また、凹部１２０は略半球形状をしているが、これに限定されず、代金や釣銭を入れることができるように、下方へ窪んでいれば、任意の形状とすることができる。
【００２５】
なお、本考案の釣銭受けは、上記の実施例に限定されず、実用新案登録請求の範囲に記載された範囲、実施形態の範囲で、種々の変形例、組み合わせが可能であり、これらの変形例、組み合わせもその権利範囲に含むものである。
【図１】
0003231012.tif 000003
【図２】
0003231012.tif 000004
【図３】
0003231012.tif 000005
【図４】
0003231012.tif 000006